(57)【特許請求の範囲】
【請求項１】
所要数連接された加熱セクションの搬送路を、ベニヤ単板を支持搬送する無端状の下部金網帯と、その上方に搬送方向と直交する方向に複数列無端状に掛け渡されたスプリングコンベヤより構成した連続状ベニヤ単板の単板乾燥機において、前記スプリングコンベヤの無端状の結合部近傍内周には、結合用スプリングを任意長さだけ嵌装させると共にこの結合用スプリング内に連結体を挿通させ、この連結体の両端にスプリングコンベヤの内径より小、結合用スプリングの内径より大とする係止部を形成したことを特徴とする単板乾燥機におけるベニヤ単板搬送装置。
【発明の詳細な説明】
【０００１】
【発明の属する技術分野】
本発明は加熱セクションを所要数連接して成る連続状のベニヤ単板の乾燥機に係わり、特に、ベニヤ単板の乾燥途上において発生する収縮による裂断、搬送方向に平行して個々に発生する浮き上がり現象、或いは両木口部分に生じる波打ち現象等を防止するためのベニヤ単板搬送装置に関するものである。
【０００２】
【従来の技術】
この種ベニヤ単板乾燥機に搬入される連続状のベニヤ単板は、通常、合板を構成する表、裏板に主として採用されるべく、厚みが０．５mm前後に設定されてベニヤレースによって連続状に切削され、また、その含水率は原木の樹脂等によって相違するが、初期含水率１３０％〜８０％位であり、乾燥後の仕上がり含水率は８％前後を目標とされている。
【０００３】
また、この種ベニヤ単板乾燥機のベニヤ単板搬送手段は、従来より、上下一対の無端状の金網帯、或いは下部を金網帯、上部を無端状のチエイン、さらには下部を金網帯、上部を無端状のスプリングコンベヤにより構成された各搬送路が採用されている。
【０００４】
各搬送路を構成する上下の無端帯を相互に逆回動させて、ベニヤ単板の搬送途上における浮き上がりを防止すべく挟持搬送しており、この搬送路上に対して連続状のベニヤ単板は、その繊維と直角の方向に連続しているため、引っ張り力に対して極めて脆弱であり、厚みが薄いものほど、乾燥途上の収縮応力により裂断し易くなる。
【０００５】
即ち、搬送路上を挟持搬送されるベニヤ単板は、通常その表裏面よりジェットボックスから噴射される高温熱風により乾燥されるが、繊維飽和点に至るまでの自由水蒸散以降において、その繊維と直角方向に８％前後の収縮が生じ、またベニヤ単板が連続する方向全般に亘っては、繊維両端木口部分における波打ち現象、並びにジェットボックスからの熱風噴射力によって個々に浮き上がり現象が発生する。
【０００６】
【発明が解決しようとする課題】
このベニヤ単板の性状から、上下一対の金網帯により構成される搬送路においては、比較的重量を有する上部金網帯により、ベニヤ単板をその全幅に亘って確固として挟持搬送するため、上記浮き上がり現象並びに波打ち現象は或る程度避けられるが、連続状のベニヤ単板の随所に裂断が発生する結果となる。
【０００７】
また、搬送路の上部を無端状のチエインとした場合には、連続状のベニヤ単板の全幅に亘って無端状のチエインが介在しないので、重量の軽減化が図れるが、機内温度によって熱膨張した無端チエインが延びて連続状のベニヤ単板上面に垂れ下がり、所期の目的としたほど収縮応力を吸収できないので、繊維の裂断を完全に払拭できない結果となっている。
【０００８】
さらに、搬送路の上部を無端状のスプリングコンベヤとした場合にも、連続状のベニヤ単板の全幅に亘って無端状のスプリングコンベヤが介在しないので、前記記載と同様に重量の軽減化が図れるが、スプリングコンベヤを無端状としている結合部近傍内周には、結合用スプリングを任意長さだけ嵌装させているのであるが、経時変化、機内温度による熱膨張、金属疲労等により、この結合用スプリングが回動途上に裂断することがあり、裂断した場合にはスプリングコンベヤが無端懸回状態から外れ、自由端となったスプリングコンベヤの両端部がベニヤ単板の搬送路を遮って搬送途上の連続状のベニヤ単板を損傷させたり、乾燥機内に配置されるジェットボックス等の設置物に衝突して搬送上のトラブルが生じる結果となっている。
本発明は上記記載のような課題を解決すべく、ベニヤ単板の乾燥途上において発生する収縮による裂断、搬送方向に平行して個々に発生する浮き上がり現象、或いは両木口部分に生じる波打ち現象等を防止し、且つ結合用スプリングの裂断に対応してトラブルを未然に防止することを目的としたものである。
【０００９】
【課題を解決するための手段】
従って本発明は、所要数連接された加熱セクションの搬送路を、ベニヤ単板を支持搬送する無端状の下部金網帯と、その上方に搬送方向と直交する方向に複数列無端状に掛け渡されたスプリングコンベヤより構成した連続状ベニヤ単板の単板乾燥機において、前記スプリングコンベヤの無端状の結合部近傍内周には、結合用スプリングを任意長さだけ嵌装させると共にこの結合用スプリング内に連結体を挿通させ、この連結体の両端にワイヤスプリングの内径より小、結合用スプリングの内径より大とする係止部を形成したことを特徴としている。
【００１０】
【作用】
所要数連接された加熱セクションの搬送路を、ベニヤ単板を支持搬送する無端状の下部金網帯と、その上方に搬送方向と直交する方向に複数列無端状に掛け渡されたスプリングコンベヤより構成した連続状ベニヤ単板の単板乾燥機において、前記スプリングコンベヤの無端状の結合部近傍内周には、結合用スプリングを任意長さだけ嵌装させると共にこの結合用スプリング内に連結体を挿通させ、この連結体の両端にワイヤスプリングの内径より小、結合用スプリングの内径より大とする係止部を形成し、ベニヤ単板乾燥途上において、経時変化、機内温度による熱膨張、金属疲労等によって結合用スプリングが裂断した場合、連結体の係止部によって結合用スプリングの散逸を係止し、スプリングコンベヤが無端懸回状態から外れることを防止している。
【００１１】
【発明の実施の形態】
以下に本発明の実施例を添付図面に基づいて説明する。
単板乾燥機１は加熱セクション２を所要数連設して成り、連続状のベニヤ単板３を搬送する搬送路４が通常複数段設置されている。この搬送路４を構成する下方には、前記単板乾燥機１の入り側並びに出側に設置された前後一対のプーリ５間に金網帯６が懸回されており、また、この金網帯６の上方には、前後一対のプーリ５の内側に軸７が配置され、この軸方向に一定間隔を置いて複数個、図示例では、３個所のプーリ８を固着し、各プーリ８間に複数列、図示例では３列のスプリングコンベヤ９を懸回している。
【００１２】
このスプリングコンベヤ９を無端状にするために、その結合部近傍内周には、結合用スプリング１０を任意長さだけねじ込むように嵌装させて、適度の張力を発生させている。また、この結合用スプリング１０内には金属の縒線、鎖等の連結体１１が挿通されており、この連結体１１の両端部分にはスプリングコンベヤ９の内径より小で、結合用スプリング１０の内径より大とする係止部１２が形成されており、結合用スプリング１０の両端を係止した状態に保持している。
【００１３】
しかして、連続状のベニヤ単板３は、単板乾燥機１の入り側より複数段に配置された各搬送路４の下部金網帯６へ導入され、一定速度にて回動する下部金網帯６上を支持搬送されると共に、同期的に逆回動する上部複数列のスプリングコンベヤ９により、ベニヤ単板３表面を適宜押さえられながら順次搬送される。
【００１４】
搬送途上、機内を循環する熱風がジェットボックス等より噴射され、ベニヤ単板３上下面は徐々に乾燥されるが、乾燥が開始すると同時に、ベニヤ単板３には連続する長手方向の随所において繊維と直交した収縮、繊維方向の両端木口部分の波打ち、並びにスプリングコンベヤ９列間における繊維と平行する部分に浮き上がり等の種々の応力が発生し易い状態となる。
【００１５】
しかしながら、スプリングコンベヤ９は、前記収縮、波打ち、浮き上がり等の応力が発生する連続状のベニヤ単板３上面に接するように、無端状に懸回され、回動しているので、連続するベニヤ単板３内部間で自由収縮して裂断を防止でき、また、局部的に発生した浮き上がりを平坦化し、連続するベニヤ単板３内において矯正できるものである。
【００１６】
単板乾燥機１稼働時、経時変化、機内温度による熱膨張、金属疲労等によって結合用スプリング１０が裂断することが往々にして発生するが、結合用スプリング１０内に挿通され、この結合用スプリング１０の両端に連結体１１の係止部１２が介在しているので、この係止部１２分によって結合用スプリング１０の両端が係止されてその散逸が防止される。
【００１７】
従って、スプリングコンベヤ９が無端懸回状態から外れ、自由端となったスプリングコンベヤ９の両端部がベニヤ単板３の搬送路４を遮って搬送途上の連続状のベニヤ単板３を損傷させたり、単板乾燥機１内に配置されるジェットボックス等の設置物に衝突する等、搬送上のトラブルを未然に防止することができる。
【００１８】
【発明の効果】
以上説明したように本発明によれば、所要数連接された加熱セクションの搬送路を、ベニヤ単板を支持搬送する無端状の下部金網帯と、その上方に搬送方向と直交する方向に複数列無端状に掛け渡されたスプリングコンベヤより構成した連続状ベニヤ単板の単板乾燥機において、前記スプリングコンベヤの無端状の結合部近傍内周には、結合用スプリングを任意長さだけ嵌装させると共にこの結合用スプリング内に連結体を挿通させ、この連結体の両端にスプリングコンベヤの内径より小、結合用スプリングの内径より大とする係止部を形成しているので、結合用スプリングの裂断に伴うスプリングコンベヤの散逸が回避でき、前記記載したトラブルが未然に防止できるものである。
【図面の簡単な説明】
【図１】本発明の一実施例を示す側面図である。
【図２】図１の平面図である。
【図３】要部拡大断面である。
【符号の説明】
１…単板乾燥機、２…加熱セクション、３…ベニヤ単板、４…搬送路、５…プーリ、６…金網帯、７…軸、８…プーリ、９…スプリングコンベヤ、１０…結合用スプリング、１１…連結体、１２…係止部
【図１】
0004014187.tif 000002
【図２】
0004014187.tif 000003
【図３】
0004014187.tif 000004